(57)【要約】【課題】撮影された画像を効率よく閲覧する。【解決手段】ドアホンアダプタ１０４は、テレビドアホンインターフェイスＡ１３０と、ＬＡＮインターフェイス１４４と、ＬＡＮ制御部１４２と、画像処理部１４０と、設定部１４６と、記憶部１４８とを含む。テレビドアホンインターフェイスＡ１３０は、ドアホン子機との間で通信する。ＬＡＮインターフェイス１４４は、テレビ電話機などとの間で通信する。ＬＡＮ制御部１４２は、テレビドアホンインターフェイスＡ１３０が受信した映像信号をテレビ電話機などに送信するように、ＬＡＮインターフェイス１４４を制御する。画像処理部１４０は、映像信号から、ＪＰＥＧファイルを作成する。設定部１４６は、ファイル名を、留守中の撮影か否かなどに基づいて作成する。記憶部１４８は、ＪＰＥＧファイルとファイル名とを対応付けて記憶する。【選択図】図３
2007104061.tif 000002
【特許請求の範囲】
【請求項１】
第１の通信機との間で通信するための第１の通信手段と、
第２の通信機との間で通信するための第２の通信手段と、
前記第１の通信手段が受信した映像信号を前記第２の通信機に送信するように、前記第２の通信手段を制御するための第１の制御手段と、
前記映像信号から、静止画を表わす情報を作成するための第１の作成手段と、
前記静止画を識別する情報を、前記第１の通信手段および第２の通信手段のいずれかが受信した信号同士を分類する事項に基づいて作成するための第２の作成手段と、
前記静止画を表わす情報と静止画を識別する情報とを対応付けて記憶するための記憶手段とを含む、中継装置。
【請求項２】
前記第２の作成手段は、前記第１の通信手段と第２の通信手段とのいずれから信号を受信したかに基づいて、前記静止画を識別する情報を作成するための手段を含む、請求項１に記載の中継装置。
【請求項３】
前記静止画を識別する情報を作成するための手段は、前記第２の通信手段から音声信号を受信したか否かに基づいて、前記静止画を識別する情報を作成するための手段を含む、請求項２に記載の中継装置。
【請求項４】
前記静止画を識別する情報を作成するための手段は、複数の前記第１の通信手段のいずれから前記映像信号を受信したかに基づいて、前記静止画を識別する情報を作成するための手段を含む、請求項２に記載の中継装置。
【請求項５】
前記第２の作成手段は、前記静止画が所属するグループに基づいて、前記静止画を識別する情報を作成するための手段を含む、請求項１に記載の中継装置。
【請求項６】
前記中継装置は、前記第１の通信手段から信号を受信した日付および時刻のいずれかを測定するための測定手段をさらに含み、
前記第２の作成手段は、前記日付および時刻のいずれかに基づいて、前記静止画を識別する情報を作成するための手段を含む、請求項１に記載の中継装置。
【請求項７】
前記中継装置は、
前記第２の通信手段が検索の条件を表わす情報を受信すると、前記記憶手段が記憶した静止画を識別する情報の中から、前記検索の条件に合致する情報を検索するための検索手段と、
前記静止画を表わす情報を用いて、前記検索手段が検索した情報に対応するように、静止画の集合を表わす情報を作成するための第３の作成手段と、
前記静止画の集合を表わす情報を前記第２の通信機に送信するように、前記第２の通信手段を制御するための第２の制御手段とをさらに含む、請求項１に記載の中継装置。
【請求項８】
撮影装置と、中継装置と、表示装置とを含む通信システムであって、
前記撮影装置は、
映像を撮影するための撮影手段と、
前記映像を表わす映像信号を前記中継装置に送信するための送信手段とを含み、
前記中継装置は、
前記撮影装置との間で通信するための第１の通信手段と、
前記表示装置との間で通信するための第２の通信手段と、
前記第１の通信手段が受信した映像信号を前記表示装置に送信するように、前記第２の通信手段を制御するための第１の制御手段と、
前記映像信号から、静止画を表わす情報を作成するための第１の作成手段と、
前記静止画を識別する情報を、受信した信号同士を分類する事項に基づいて作成するための第２の作成手段と、
前記静止画を表わす情報と静止画を識別する情報とを対応付けて記憶するための記憶手段と、
前記第２の通信手段が検索の条件を表わす情報を受信すると、前記記憶手段が記憶した静止画を識別する情報の中から、前記検索の条件に合致する情報を検索するための検索手段と、
前記静止画を表わす情報を用いて、前記検索手段が検索した情報に対応するように、静止画の集合を表わす情報を作成するための第３の作成手段と、
前記静止画の集合を表わす情報を前記表示装置に送信するように、前記第２の通信手段を制御するための第２の制御手段とを含み、
前記表示装置は、
前記中継装置との間で通信するための通信手段と、
前記通信手段が受信した映像信号および前記静止画の集合を表わす情報のいずれかを用いて、映像および画像のいずれかを表示するための表示手段とを含む、通信システム。
【請求項９】
前記撮影装置は、前記中継装置から音声信号を受信するための受信手段をさらに含み、
前記中継装置は、前記第２の通信手段が受信した音声信号を前記撮影装置に送信するように、前記第１の通信手段を制御するための手段をさらに含み、
前記表示装置は、
音声を音声信号に変換するための変換手段と、
前記音声信号を前記中継装置に送信するように、前記通信手段を制御するための制御手段とをさらに含む、請求項８に記載の通信システム。
【請求項１０】
第１の通信機との間で通信する第１の通信ステップと、
第２の通信機との間で通信する第２の通信ステップと、
前記第１の通信ステップにおいて受信した映像信号を前記第２の通信機に送信するように、前記第２の通信ステップを制御する第１の制御ステップと、
前記映像信号から、静止画を表わす情報を作成する第１の作成ステップと、
前記静止画を識別する情報を、受信した信号同士を分類する事項に基づいて作成する第２の作成ステップと、
前記静止画を表わす情報と静止画を識別する情報とを対応付けて記憶する記憶ステップとを含む各ステップをコンピュータに実行させるための中継プログラム。
【請求項１１】
第１の通信機との間で通信する第１の通信ステップと、
第２の通信機との間で通信する第２の通信ステップと、
前記第１の通信ステップにおいて受信した映像信号を前記第２の通信機に送信するように、前記第２の通信ステップを制御する第１の制御ステップと、
前記映像信号から、静止画を表わす情報を作成する第１の作成ステップと、
前記静止画を識別する情報を、受信した信号同士を分類する事項に基づいて作成する第２の作成ステップと、
前記静止画を表わす情報と静止画を識別する情報とを対応付けて記憶する記憶ステップとを含む各ステップをコンピュータに実行させるための中継プログラムを記録したコンピュータ読取り可能な記録媒体。
【発明の詳細な説明】
【技術分野】
【０００１】
本発明は、中継装置、通信システム、中継プログラム、および中継プログラムを記録したコンピュータ読取り可能な記録媒体に関し、特に、テレビジョン信号を記録する中継装置、通信システム、中継プログラム、および中継プログラムを記録したコンピュータ読取り可能な記録媒体に関する。
【背景技術】
【０００２】
特許文献１は、カメラを内蔵したカメラ子機と、カメラ子機において撮像された画像を表示するための表示装置を有する親機と、カメラ子機で撮像した画像データを送受信するための機能を有しインターネット網に接続されたインターフェースユニットと、インターネット網に接続されてカメラ子機で撮像した画像データを加工し、画像データ保存部で蓄積し、蓄積された画像データをダウンロードして親機の表示装置に表示可能で、蓄積された画像データを、ＷＷＷ（World Wide Web）ブラウズ機能を有する携帯電話、パーソナルコンピュータから閲覧可能であるサーバとを備えたことを特徴とするインターホンシステムを開示する。
【０００３】
特許文献１に開示された発明によると、１つのサーバから複数の親機に対して録画機能を提供できる。
【特許文献１】特開２００３−２２４６７１号広報
【発明の開示】
【発明が解決しようとする課題】
【０００４】
しかし、特許文献１に開示された発明では、インターホンシステムにおいて撮像された画像を効率よく閲覧することが難しいという問題点がある。
【０００５】
本発明は上述の問題点を解決するためになされたものであって、その目的は、撮影された画像を効率よく閲覧できる中継装置、通信システム、中継プログラム、および中継プログラムを記録したコンピュータ読取り可能な記録媒体を提供することにある。
【課題を解決するための手段】
【０００６】
上記目的を達成するために、本発明のある局面に従うと、中継装置は、第１の通信手段と、第２の通信手段と、第１の制御手段と、第１の作成手段と、第２の作成手段と、記憶手段とを含む。第１の通信手段は、第１の通信機との間で通信する。第２の通信手段は、第２の通信機との間で通信する。第１の制御手段は、第１の通信手段が受信した映像信号を第２の通信機に送信するように、第２の通信手段を制御する。第１の作成手段は、映像信号から、静止画を表わす情報を作成する。第２の作成手段は、静止画を識別する情報を、第１の通信手段および第２の通信手段のいずれかが受信した信号同士を分類する事項に基づいて作成する。記憶手段は、静止画を表わす情報と静止画を識別する情報とを対応付けて記憶する。
【０００７】
また、上述の第２の作成手段は、第１の通信手段と第２の通信手段とのいずれから信号を受信したかに基づいて、静止画を識別する情報を作成するための手段を含むことが望ましい。
【０００８】
もしくは、上述の静止画を識別する情報を作成するための手段は、第２の通信手段から音声信号を受信したかに否かに基づいて、静止画を識別する情報を作成するための手段を含むことが望ましい。
【０００９】
もしくは、上述の静止画を識別する情報を作成するための手段は、複数の第１の通信手段のいずれから映像信号を受信したかに基づいて、静止画を識別する情報を作成するための手段を含むことが望ましい。
【００１０】
また、上述の第２の作成手段は、静止画が所属するグループに基づいて、静止画を識別する情報を作成するための手段を含むことが望ましい。
【００１１】
また、上述の中継装置は、第１の通信手段から信号を受信した日付および時刻のいずれかを測定するための測定手段をさらに含むことが望ましい。併せて、第２の作成手段は、日付および時刻のいずれかに基づいて、静止画を識別する情報を作成するための手段を含むことが望ましい。
【００１２】
また、上述の中継装置は、検索手段と、第３の作成手段と、第２の制御手段とをさらに含むことが望ましい。検索手段は、第２の通信手段が検索の条件を表わす情報を受信すると、記憶手段が記憶した静止画を識別する情報の中から、検索の条件に合致する情報を検索する。第３の作成手段は、静止画を表わす情報を用いて、検索手段が検索した情報に対応するように、静止画の集合を表わす情報を作成する。第２の制御手段は、静止画の集合を表わす情報を第２の通信機に送信するように、第２の通信手段を制御する。
【００１３】
本発明の他の局面に従うと、通信システムは、撮影装置と、中継装置と、表示装置とを含む。撮影装置は、撮影手段と、送信手段とを含む。撮影手段は、映像を撮影する。送信手段は、映像を表わす映像信号を中継装置に送信する。中継装置は、第１の通信手段と、第２の通信手段と、第１の制御手段と、第１の作成手段と、第２の作成手段と、記憶手段と、検索手段と、第３の作成手段と、第２の制御手段とを含む。第１の通信手段は、撮影装置との間で通信する。第２の通信手段は、表示装置との間で通信する。第１の制御手段は、第１の通信手段が受信した映像信号を表示装置に送信するように、第２の通信手段を制御する。第１の作成手段は、映像信号から、静止画を表わす情報を作成する。第２の作成手段は、静止画を識別する情報を、受信した信号同士を分類する事項に基づいて作成する。記憶手段は、静止画を表わす情報と静止画を識別する情報とを対応付けて記憶する。検索手段は、第２の通信手段が検索の条件を表わす情報を受信すると、記憶手段が記憶した静止画を識別する情報の中から、検索の条件に合致する情報を検索する。第３の作成手段は、静止画を表わす情報を用いて、検索手段が検索した情報に対応するように、静止画の集合を表わす情報を作成する。第２の制御手段は、静止画の集合を表わす情報を表示装置に送信するように、第２の通信手段を制御する。表示装置は、通信手段と、表示手段とを含む。通信手段は、中継装置との間で通信する。表示手段は、通信手段が受信した映像信号および静止画の集合を表わす情報のいずれかを用いて、映像および画像のいずれかを表示する。
【００１４】
また、上述の撮影装置は、中継装置から音声信号を受信するための受信手段をさらに含むことが望ましい。併せて、中継装置は、第２の通信手段が受信した音声信号を撮影装置に送信するように、第１の通信手段を制御するための手段をさらに含むことが望ましい。併せて、表示装置は、変換手段と、制御手段とをさらに含むことが望ましい。変換手段は、音声を音声信号に変換する。制御手段は、音声信号を中継装置に送信するように、通信手段を制御する。
【００１５】
本発明の他の局面に従うと、中継プログラムは、第１の通信ステップと、第２の通信ステップと、第１の制御ステップと、第１の作成ステップと、第２の作成ステップと、記憶ステップとを含む各ステップをコンピュータに実行させる。第１の通信ステップは、第１の通信機との間で通信する。第２の通信ステップは、第２の通信機との間で通信する。第１の制御ステップは、第１の通信ステップにおいて受信した映像信号を第２の通信機に送信するように、第２の通信ステップを制御する。第１の作成ステップは、映像信号から、静止画を表わす情報を作成する。第２の作成ステップは、静止画を識別する情報を、受信した信号同士を分類する事項に基づいて作成する。記憶ステップは、静止画を表わす情報と静止画を識別する情報とを対応付けて記憶する。
【００１６】
本発明の他の局面に従うと、記録媒体は、中継プログラムを記録したコンピュータ読取可能な記録媒体である。中継プログラムは、第１の通信ステップと、第２の通信ステップと、第１の制御ステップと、第１の作成ステップと、第２の作成ステップと、記憶ステップとを含む各ステップをコンピュータに実行させる。第１の通信ステップは、第１の通信機との間で通信する。第２の通信ステップは、第２の通信機との間で通信する。第１の制御ステップは、第１の通信ステップにおいて受信した映像信号を第２の通信機に送信するように、第２の通信ステップを制御する。第１の作成ステップは、映像信号から、静止画を表わす情報を作成する。第２の作成ステップは、静止画を識別する情報を、受信した信号同士を分類する事項に基づいて作成する。記憶ステップは、静止画を表わす情報と静止画を識別する情報とを対応付けて記憶する。
【発明の効果】
【００１７】
本発明にかかる中継装置、通信システム、中継プログラム、および中継プログラムを記録したコンピュータ読取り可能な記録媒体は、撮影された画像を効率よく閲覧できる。
【発明を実施するための最良の形態】
【００１８】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１９】
図１を参照して、本実施の形態にかかる通信システムは、ドアホン子機１００と、ドアホン子機１０２と、ドアホンアダプタ１０４と、テレビ電話機１０６と、パーソナルコンピュータ１０８とを含む。ドアホン子機１００およびドアホン子機１０２は、来訪者を撮影する撮影装置である。ドアホンアダプタ１０４は、ドアホン子機１００およびドアホン子機１０２とテレビ電話機１０６およびパーソナルコンピュータ１０８との間で信号などを中継する中継装置である。テレビ電話機１０６およびパーソナルコンピュータ１０８は、動画や静止画の画像を表示する表示装置である。
【００２０】
図２を参照して、ドアホン子機１００は、カメラ部１２０と、スピーカ部１２２と、マイク部１２４と、呼出スイッチ部１２６と、端子１２８とを含む。カメラ部１２０は、たとえば固体撮像素子を含む。カメラ部１２０は、来訪者の映像を撮影する装置である。カメラ部１２０が内蔵する通信回路は、撮影によって得た映像を表わす信号を、映像信号として、端子１２８を介し、ドアホンアダプタ１０４に送信する。スピーカ部１２２は、音声信号を再生して出力する装置である。スピーカ部１２２が内蔵する通信回路は、端子１２８を介してドアホンアダプタ１０４から音声信号を受信する回路である。マイク部１２４は、来訪者の音声を電気信号に変換することにより、音声を表わす情報を受付ける装置である。マイク部１２４が内蔵する通信回路は、変換された音声信号を、端子１２８を介し、ドアホンアダプタ１０４に送信する。呼出スイッチ部１２６は、ドアホン子機１００に配置される呼出ボタン（図示しない）の押下に応答して、呼出信号を発生する装置である。呼出スイッチ部１２６が内蔵する通信回路は、端子１２８を介し、呼出信号を、ドアホンアダプタ１０４に送信する。
【００２１】
なお、ドアホン子機１０２のハードウェア構成については前述のドアホン子機１００と同じである。それらについての機能も同じである。したがって、それらについての詳細な説明はここでは繰返さない。
【００２２】
図３を参照して、図１に示すドアホンアダプタ１０４の制御ブロックについて説明する。図３に示すように、ドアホンアダプタ１０４は、テレビドアホンインターフェイスＡ１３０と、テレビドアホンインターフェイスＢ１３２と、切換部１３４と、分離部１３６と、データ処理部１３８と、画像処理部１４０と、ＬＡＮ（Local Area Network）制御部１４２と、ＬＡＮインターフェイス１４４と、設定部１４６と、記憶部１４８と、Ｗｅｂサーバ処理部１５０と、システム制御部１５２と、ＣＤ−ＲＯＭ（Compact Disc Read Only Memory）ドライブ１５４とを含む。テレビドアホンインターフェイスＡ１３０は、ドアホン子機１００との間で通信する装置である。テレビドアホンインターフェイスＢ１３２は、ドアホン子機１０２との間で通信する装置である。切換部１３４は、テレビドアホンインターフェイスＡ１３０とテレビドアホンインターフェイスＢ１３２とのうち、信号を受信するインターフェイスを切換える装置である。分離部１３６は、ドアホン子機１００あるいはドアホン子機１０２から入力され、かつ映像信号と音声信号とが混合された状態のアナログ信号から、映像信号と音声信号とを分離する装置である。データ処理部１３８は、分離部１３６によって分離された映像信号と音声信号とをデジタル化する装置である。データ処理部１３８は、ＬＡＮインターフェイス１４４が受信するデジタル信号をアナログ信号に変換する装置でもある。画像処理部１４０は、データ処理部１３８が変換したデジタル信号から、静止画を表わす情報を作成する装置である。ＬＡＮ制御部１４２は、ＬＡＮインターフェイス１４４を制御する装置である。ＬＡＮインターフェイス１４４は、テレビ電話機１０６やパーソナルコンピュータ１０８との間で通信する装置である。設定部１４６は、画像処理部１４０が静止画ファイルを作成するための各種の設定を行なう装置である。記憶部１４８は、各種の情報を記憶する装置である。記憶部１４８が記憶する情報には、静止画ファイルと、静止画ファイルに対応付けられる情報であるファイル名とが含まれる。Ｗｅｂサーバ処理部１５０は、テレビ電話機１０６あるいはパーソナルコンピュータ１０８からの要求に従い、静止画を含むＷｅｂページの情報を作成する装置である。システム制御部１５２は、ドアホンアダプタ１０４の全体の制御を行なう装置である。ＣＤ−ＲＯＭドライブ１５４は、ＣＤ−ＲＯＭ２０６からプログラムなどの情報を読出す装置である。
【００２３】
システム制御部１５２は、時計１５８を含む。時計１５８は、日付および時刻を測定する装置である。
【００２４】
図４を参照して、本実施の形態にかかるファイル名の構造について説明する。図４は、本実施の形態にかかるファイル名の構造を表わす図である。本実施の形態の場合、ファイル名を構成する各文字は、テレビドアホンインターフェイスＡ１３０、テレビドアホンインターフェイスＢ１３２、およびＬＡＮインターフェイス１４４のいずれかが受信した信号同士を分類する事項を表わす。以下の説明において、ファイル名のＮ番目の文字を［Ｎ］と表わす。ファイル名において、［１］はドアホン子機の番号を表わす。本実施の形態の場合、テレビドアホンインターフェイスＡ１３０の番号は「１」である。テレビドアホンインターフェイスＢ１３２の番号は「２」である。［２］は映像が撮影された時点でユーザが在宅していたか否かを表わす。本実施の形態の場合、ユーザが在宅であれば、［２］は「１」である。ユーザが留守であれば、［２］は「２」である。［３］〜［６］は撮影された日が属する年を西暦で表わす。［７］および［８］は撮影された日が属する月を表わす。［９］および［１０］は撮影された日を表わす。［１１］および［１２］は撮影された時刻が属する時間を表わす。［１３］および［１４］は撮影された時刻が属する分を表わす。［１５］および［１６］は撮影された時刻が属する秒を表わす。［１７］〜［１９］はシリーズ番号（通し番号のこと）を表わす。［２０］はピリオドを表わす。［２１］〜［２３］は拡張子を表わす。図５は、撮影された日時が２００５年８月６日１２時３０分４５秒であって、ユーザが留守の間にドアホン番号が「１」（本実施の形態の場合、ドアホン子機１００のこと）で撮影されたシリーズ番号が「００１」の静止画ファイルのファイル名を表わす図である。
【００２５】
本実施の形態にかかる本実施の形態にかかるドアホンアダプタ１０４は、コンピュータハードウェアとシステム制御部１５２により実行されるソフトウェアとにより実現される。一般的にこうしたソフトウェアは、ＣＤ−ＲＯＭ２０６などの記録媒体に格納されて流通し、ＣＤ−ＲＯＭドライブ１５４などにより記録媒体から読取られ、記憶部１４８に読出されて、上述したシステム制御部１５２により実行される。上述したコンピュータハードウェア自体は一般的なものである。したがって、本発明の最も本質的な部分は、ＣＤ−ＲＯＭ２０６などの記録媒体に記録されたソフトウェアである。
【００２６】
図６を参照して、図１に示すテレビ電話機１０６の制御ブロックについて説明する。図６に示すように、テレビ電話機１０６は、このテレビ電話機１０６の全体を制御する制御部１６０と、ドアホンアダプタ１０４、パーソナルコンピュータ１０８、あるいは他の電話装置との間で通信するための通信部１６２と、制御部１６０において実行されるプログラム、そのプログラムの中間データおよび通信部１６２を介して受信した情報を記憶する記憶部１６４と、入出力部１６６とを含む。制御部１６０は、音声信号をドアホンアダプタ１０４に送信するように、通信部１６２を制御する装置でもある。
【００２７】
入出力部１６６は、操作部１７０と、表示部１７２と、マイク１７４と、スピーカ１７６とを含む。操作部１７０は、テンキーなどにより、このテレビ電話機１０６のユーザが他の電話装置の電話番号を入力したり、通信部１６２を用いて受信した電子メールの表示要求を入力したりする。表示部１７２は、操作部１７０から入力された相手先の電話番号、通信部１６２が受信した電子メール、あるいは通信部１６２が受信した他人の個人情報などを表示する。表示部１７２は、通信部１６２が受信した映像信号を用いて、映像を表示する装置でもある。マイク１７４は、このテレビ電話機１０６のユーザが音声を入力した音声を、音声信号に変換する装置である。スピーカ１７６は、音声を出力する装置である。
【００２８】
図７を参照して、図１に示すパーソナルコンピュータ１０８の制御ブロックについて説明する。図７に示すように、パーソナルコンピュータ１０８は、ＣＰＵ（Central Processing Unit）１８０と、ディスプレイ１８２と、主記憶装置１８４と、外部記憶装置１８６と、キーボード１８８と、スピーカ１９０と、通信デバイス１９２と、マイク１９４と、バス１９６とを含む。ＣＰＵ１８０と、ディスプレイ１８２と、主記憶装置１８４と、外部記憶装置１８６と、キーボード１８８と、スピーカ１９０と、通信デバイス１９２とは、バス１９６により相互に接続されている。
【００２９】
ＣＰＵ１８０は、プログラムを実行する。ＣＰＵ１８０は、自らが実行するプログラムを、主記憶装置１８４または外部記憶装置１８６から得る。ＣＰＵ１８０は、バス１９６を通じて、ディスプレイ１８２、主記憶装置１８４、外部記憶装置１８６、通信デバイス１９２、キーボード１８８、およびスピーカ１９０とデータのやりとりを行う。ＣＰＵ１８０は、音声信号をドアホンアダプタ１０４に送信するように、通信デバイス１９２を制御する装置でもある。
【００３０】
ディスプレイ１８２は、グラフィックカードなどと組合わされた表示媒体である。グラフィックカード上にはＶＲＡＭ（Video Random Access Memory）が備えられる。ＶＲＡＭ上のデータは、表示信号に変換された後、液晶パネルに供給される。液晶パネルは、通信デバイス１９２が受信した映像信号を用いて、映像を表示する装置である。
【００３１】
主記憶装置１８４は、通常はＤＲＡＭ（Dynamic Random Access Memory）、フラッシュメモリなどのメモリデバイスで構成される。主記憶装置１８４は、各種のデータを記憶する装置である。
【００３２】
外部記憶装置１８６も、各種のデータを記憶する装置である。本実施の形態の場合、外部記憶装置１８６は、ハードディスクドライブ２００と、ＰＣ（Personal Computer）カードスロット２０２とを含む。
【００３３】
キーボード１８８は、ユーザが情報を入力する装置である。キーボード１８８は、複数のボタン（キー）を含み、押下られたキーに応じた信号を生成する。キーボード１８８から入力された情報は、バス１９６を介してＣＰＵ１８０に入力される。
【００３４】
スピーカ１９０は、バス１９６などを介して送られる音声データを音声信号と解釈し、音声として出力する装置である。
【００３５】
通信デバイス１９２は、ネットワークインタフェースカードなどにより実現される。通信デバイス１９２は、ＬＡＮ１１０により接続されたドアホンアダプタ１０４やテレビ電話機１０６との間で通信する装置である。
【００３６】
マイク１９４は、このパーソナルコンピュータ１０８のユーザが音声を入力した音声を、音声信号に変換する装置である。
【００３７】
図８を参照して、ドアホンアダプタ１０４で実行されるプログラムは、撮影に関し、以下のような制御を実行する。
【００３８】
ステップ２１０（以下、ステップをＳと略す。）にて、切換部１３４は、テレビドアホンインターフェイスＡ１３０およびテレビドアホンインターフェイスＢ１３２のいずれかが信号を受信したことに基づき、ドアホン子機１００およびドアホン子機１０２のいずれかから呼出があったか否かを判断する。呼出があったと判断した場合（Ｓ２１０にてＹＥＳ）、処理はＳ２１２へと移される。もしそうでないと（Ｓ２１０にてＮＯ）、処理はＳ２１０へと戻される。
【００３９】
Ｓ２１２にて、切換部１３４は、ドアホン子機１００およびドアホン子機１０２のいずれかから呼出があった旨の信号をシステム制御部１５２に出力する。信号が出力されると、システム制御部１５２は、時計１５８に時刻の計測を開始させる。時刻の計測が開始されると、システム制御部１５２は、撮影を開始する時間が到来したか否かを判断する。時間が到来したと判断した場合（Ｓ２１２にてＹＥＳ）、処理はＳ２１４へと移される。もしそうでないと（Ｓ２１２にてＮＯ）、処理はＳ２１２へと戻される。
【００４０】
Ｓ２１４にて、設定部１４６は、シリーズ番号を取得する。この処理は後述するＳ２４０〜Ｓ２４４の処理に相当する。
【００４１】
Ｓ２１６にて、テレビドアホンインターフェイスＡ１３０およびテレビドアホンインターフェイスＢ１３２のいずれかがドアホン子機１００およびドアホン子機１０２のいずれかから受信信号を受信する。受信信号は、映像を表わす信号である映像信号と、音声を表わす信号である音声信号と、ドアホンアダプタ１０４、テレビ電話機１０６、あるいはパーソナルコンピュータ１０８が制御に用いる信号である制御信号とを含む。受信信号が受信されると、分離部１３６は、切換部１３４を経て、受信信号を受付ける。受信信号が受付けられると、分離部１３６は、受信信号から、映像信号と音声信号と制御信号とを分離する。映像信号と音声信号と制御信号とが分離されると、分離部１３６は、映像信号を、システム制御部１５２を介して、画像処理部１４０に出力する。画像処理部１４０は、映像信号から、静止画を表わす情報であるＪＰＥＧ（Joint Photographic Coding Experts Group）ファイルを作成する。ＬＡＮ制御部１４２は、システム制御部１５２を介して、映像信号と音声信号と制御信号とを受付ける。ＬＡＮ制御部１４２は、映像信号と音声信号と制御信号とを、テレビ電話機１０６あるいはパーソナルコンピュータ１０８に送信するように、ＬＡＮインターフェイス１４４を制御する。
【００４２】
Ｓ２１８にて、設定部１４６はファイル名を作成する。この処理は、後述するＳ２５０〜Ｓ２５８の処理に相当する。これにより、設定部１４６は、静止画を識別する情報であるファイル名を作成することとなる。ファイル名は、テレビドアホンインターフェイスＡ１３０、テレビドアホンインターフェイスＢ１３２、およびＬＡＮインターフェイス１４４のいずれかが受信した信号同士を分類する事項に基づいて作成される。本実施の形態の場合、「受信した信号同士を分類する事項」には、受信信号を送信したドアホン子機や、映像の撮影の日時や、ユーザが在宅中に撮影された映像か否かということや、撮影された来客が含まれる。なお、後述するように、本実施の形態の場合、設定部１４６は、暫定的にユーザが留守とみなしてファイル名を作成する。
【００４３】
Ｓ２２０にて、設定部１４６は、画像処理部１４０が作成したＪＰＥＧファイルのファイル名を自らが作成したファイル名に変更する。ファイル名が変更されると、システム制御部１５２は、記憶部１４８の一時保存領域にＪＰＥＧファイルを保存する。ＪＰＥＧファイルとともにファイル名も保存されるので、記憶部１４８は、静止画を表わす情報と静止画を識別する情報とを対応付けて記憶することとなる。
【００４４】
Ｓ２２２にて、システム制御部１５２は、予め設定された数（この数は、ユーザが設定する。空き巣や強盗などの窃盗犯が表れた場合、１枚しか画像が作成されなければ、容貌を特定できる画像が得られる可能性が極めて低くなるためである。）のＪＰＥＧファイルが作成されたか否かを判断する。作成されるファイルの数は記憶部１４８が記憶している。予め記憶された数のファイルが作成されたと判断した場合（Ｓ２２２にてＹＥＳ）、処理はＳ２３０へと移される。もしそうでないと（Ｓ２２２にてＮＯ）、処理はＳ２２４へと移される。
【００４５】
Ｓ２２４にて、システム制御部１５２は、時計１５８が測定した時刻を参照する。時刻が参照されると、システム制御部１５２は、予め設定された間隔（この間隔はユーザによって設定され、かつ記憶部１４８が記憶する間隔である）が経過したか否かを判断する。間隔が経過したと判断した場合（Ｓ２２４にてＹＥＳ）、処理はＳ２１６へと移される。もしそうでないと（Ｓ２２４にてＮＯ）、処理はＳ２２６へと移される。
【００４６】
Ｓ２２６にて、ＬＡＮ制御部１４２は、ＬＡＮインターフェイス１４４がテレビ電話機１０６またはパーソナルコンピュータ１０８から応答があったことを表わす信号を受信したか否かを判断する。応答があったと判断した場合には（Ｓ２２６にてＹＥＳ）、処理はＳ２２８へと移される。もしそうでないと（Ｓ２２６にてＮＯ）、処理はＳ２２４へと移される。
【００４７】
Ｓ２２８にて、ＬＡＮ制御部１４２は、テレビ電話機１０６またはパーソナルコンピュータ１０８からの音声信号の受信を開始するように、ＬＡＮインターフェイス１４４を制御する。システム制御部１５２は、ＬＡＮインターフェイス１４４が受信した音声信号をドアホン子機１００あるいはドアホン子機１０２に送信するように、テレビドアホンインターフェイスＡ１３０あるいはテレビドアホンインターフェイスＢ１３２を制御する。設定部１４６は、記憶部１４８の一時保存領域に記憶されたすべてのファイルについて、ファイル名の［２］を「１」に変更する。これにより、設定部１４６は、ＬＡＮインターフェイス１４４から音声信号を受信したか否かに基づいて、ファイル名を作成することとなる。
【００４８】
Ｓ２３０にて、システム制御部１５２は、記憶部１４８の一時保存領域に保存されたＪＰＥＧファイルを通常の保存領域へ移動させる。
【００４９】
図９を参照して、ドアホンアダプタ１０４で実行されるプログラムは、シリーズ番号の取得に関し、以下のような制御を実行する。
【００５０】
Ｓ２４０にて、設定部１４６は、自らのカウンタを参照することにより、シリーズ番号の値が「９９９」未満か否かを判断する。シリーズ番号の値が「９９９」未満と判断した場合には（Ｓ２４０にてＹＥＳ）、処理はＳ２４２へと移される。もしそうでないと（Ｓ２４０にてＮＯ）、処理はＳ２４４へと移される。
【００５１】
Ｓ２４２にて、設定部１４６は、自らのレジスタにカウンタの値を読出す。カウンタの値が読出されると、設定部１４６は、カウンタの値に「１」を加算する。Ｓ２４４にて、設定部１４６は、カウンタの値を自らのレジスタに読出す。レジスタに値が読出されると、設定部１４６はカウンタの値を「０」にする。
【００５２】
図１０を参照して、ドアホンアダプタ１０４で実行されるプログラムは、ファイル名の作成に関し、以下のような制御を実行する。
【００５３】
Ｓ２５０にて、設定部１４６は、システム制御部１５２からドアホン番号を取得する。システム制御部１５２は、テレビドアホンインターフェイスＡ１３０またはテレビドアホンインターフェイスＢ１３２が映像信号を受信した時点で、どちらが映像信号を受信したかに基づき、記憶部１４８にドアホン番号を記憶させている。ドアホン番号が取得されると、設定部１４６は、自らのバッファのうち［１］を記憶する領域に、取得したドアホン番号を記憶させる。これにより、設定部１４６は、テレビドアホンインターフェイスＡ１３０およびテレビドアホンインターフェイスＢ１３２のいずれから映像信号を受信したかに基づいて、ファイル名を作成することとなる。
【００５４】
Ｓ２５２にて、設定部１４６は、自らのバッファのうち［２］を記憶する領域に「２」を記憶させる。［２］を記憶する領域に「２」が記憶されることにより、設定部１４６は暫定的にユーザが留守とみなしたこととなる。
【００５５】
Ｓ２５４にて、設定部１４６は、システム制御部１５２から映像が撮影された日時を取得する。システム制御部１５２は、テレビドアホンインターフェイスＡ１３０あるいはテレビドアホンインターフェイスＢ１３２が映像信号を受信し始めたとき、時計１５８を参照することにより、撮影日時を表わす値を検出する。撮影日時を表わす値は、記憶部１４８が記憶する。これにより、時計１５８は、テレビドアホンインターフェイスＡ１３０あるいはテレビドアホンインターフェイスＢ１３２から信号を受信した日付および時刻のいずれかを測定する装置となる。設定部１４６が撮影日時を表わす値を取得すると、設定部１４６は、自らのレジスタの［３］〜［１６］を記憶する領域に撮影日時を表わす値を記憶させる。これにより、設定部１４６は、日付および時刻のいずれかに基づいて、ファイル名を作成することとなる。
【００５６】
Ｓ２５８にて、設定部１４６は、自らのレジスタの［１７］〜［１９］を記憶する領域に、Ｓ２４２またはＳ２４４で算出したシリーズ番号を記憶させる。
【００５７】
図１１を参照して、ドアホンアダプタ１０４で実行されるプログラムは、ファイルの抽出に関し、以下のような制御を実行する。
【００５８】
Ｓ２６０にて、ＬＡＮ制御部１４２は、ＬＡＮインターフェイス１４４を介して、テレビ電話機１０６あるいはパーソナルコンピュータ１０８から検索を開始すべき旨の指令信号を受信する。本実施の形態の場合、指令信号には、検索の条件を表わす情報が含まれている。
【００５９】
Ｓ２６２にて、ＬＡＮインターフェイス１４４が指令信号として受信した情報から検索の条件を表わす情報をシステム制御部１５２が抽出する。情報が抽出されると、システム制御部１５２は、検索の条件がすべての静止画の一覧を要求しているか否かを判断する。すべての静止画の一覧を要求していると判断した場合（Ｓ２６２にてＹＥＳ）、処理はＳ２６４へと移される。もしそうでないと（Ｓ２６２にてＮＯ）、処理はＳ２６６へと移される。Ｓ２６４にて、システム制御部１５２は、記憶部１４８が記憶したＪＰＥＧファイルすべてのファイル名を、順次一時保存領域に保存する。
【００６０】
Ｓ２６６にて、システム制御部１５２は、検索の条件がドアホン別の静止画の一覧を要求しているか否かを判断する。ドアホン別の静止画の一覧を要求していると判断した場合（Ｓ２６６にてＹＥＳ）、処理はＳ２６８へと移される。もしそうでないと（Ｓ２６６にてＮＯ）、処理はＳ２７０へと移される。Ｓ２６８にて、システム制御部１５２は、記憶部１４８が記憶したＪＰＥＧファイルのファイル名の中から、［１］が検索の条件を表わす情報に含まれる値と同じファイル名を検索する。ファイル名が検索されると、システム制御部１５２は、検索したファイル名を記憶部１４８の一時保存領域に保存する。
【００６１】
Ｓ２７０にて、システム制御部１５２は、検索の条件が来客別の静止画を要求するものか否かを判断する。来客別の静止画を要求するものであると判断した場合には（Ｓ２７０にてＹＥＳ）、処理はＳ２７２へと移される。もしそうでないと（Ｓ２７０にてＮＯ）、処理はＳ２７４へと移される。Ｓ２７２にて、システム制御部１５２は、記憶部１４８が記憶したＪＰＥＧファイルのファイル名の中から、シリーズ番号（［１７］〜［１９］が同じファイルのうち撮影された日時（［３］〜［１６］）が最も古いファイルのファイル名を検索する。ファイル名が検索されると、システム制御部１５２は、検索したファイル名を記憶部１４８の一時保存領域に保存する。
【００６２】
Ｓ２７４にて、システム制御部１５２は、検索の条件がユーザの留守時に撮影された映像の静止画ファイルを要求するものか否かを判断する。ユーザの留守時に撮影された映像の静止画ファイルを要求するものであると判断した場合には（Ｓ２７４にてＹＥＳ）、処理はＳ２７６へと移される。もしそうでないと（Ｓ２７４にてＮＯ）、処理はＳ２７８へと移される。Ｓ２７６にて、システム制御部１５２は、記憶部１４８が記憶したＪＰＥＧファイルのファイル名の中から、［２］の値が「２」であるファイル名を検索する。ファイル名が検索されると、システム制御部１５２は、検索したファイル名を記憶部１４８の一時保存領域に保存する。
【００６３】
Ｓ２７８にて、システム制御部１５２は、検索の条件がユーザの在宅時に撮影された映像のＪＰＥＧファイルを要求するものか否かを判断する。ユーザが在宅時に撮影された映像のＪＰＥＧファイルを要求するものと判断した場合には（Ｓ２７８にてＹＥＳ）、処理はＳ２８０へと移される。もしそうでないと（Ｓ２７８にてＮＯ）、処理は終了する。Ｓ２８０にて、システム制御部１５２は、記憶部１４８が記憶したＪＰＥＧファイルのファイル名の中から、［２］の値が「１」であるファイル名を検索する。ファイル名が検索されると、システム制御部１５２は、検索したファイル名を記憶部１４８の一時保存領域に保存する。
【００６４】
Ｓ２８２にて、Ｗｅｂサーバ処理部１５０は、抽出されたファイル（記憶部１４８の一時保存領域にファイル名が保存されたＪＰＥＧファイル）を用いて、Ｗｅｂページデータを作成する。Ｗｅｂページデータとは、静止画の集合を表わす情報である。Ｗｅｂページデータが表わす「静止画の集合」は、システム制御部１５２が検索したファイル名に対応する、静止画の集合である。
【００６５】
Ｓ２８４にて、ＬＡＮインターフェイス１４４は、ＬＡＮ制御部１４２の制御に応じて、Ｗｅｂサーバ処理部１５０が作成したＷｅｂページデータを、指令信号を送信した装置（テレビ電話機１０６あるいはパーソナルコンピュータ１０８）に送信する。
【００６６】
以上のような構造およびフローチャートに基づく、通信システムの動作について説明する。
【００６７】
［「一覧」の画像を表示するよう要求があった場合］
切換部１３４はドアホン子機１００およびドアホン子機１０２のいずれかから呼出があったか否かを判断する（Ｓ２１０）。それらのいずれかから呼出があったとすると（Ｓ２１０にてＹＥＳ）、システム制御部１５２は撮影を開始する時間が到来したか否かを判断する（Ｓ２１２）。当初その時間は到来していないが（Ｓ２１２にてＮＯ）、後にその時間が到来すると（Ｓ２１２にてＹＥＳ）、設定部１４６は自らのカウンタの値が「９９９」未満か否かを判断する（Ｓ２４０）。この場合、シリーズ番号の値が「９９９」未満であったとすると（Ｓ２４０にてＹＥＳ）、設定部１４６はカウンタの値を読出す。カウンタの値が読出されると設定部１４６はカウンタの値に「１」を加算する（Ｓ２４２）。
【００６８】
カウンタの値が読出されると、画像処理部１４０は映像信号からＪＰＥＧファイルを作成する（Ｓ２１６）。ＪＰＥＧファイルが作成されると、設定部１４６はシステム制御部１５２からドアホン番号を取得する。ドアホン番号が取得されると、設定部１４６はファイル名の［１］として取得されたドアホン番号を設定する（Ｓ２５０）。ドアホン番号が設定されると、設定部１４６はファイル名の［２］として「２」を設定する（Ｓ２５２）。「２」が設定されると、設定部１４６はシステム制御部１５２から撮影の日時を取得する。撮影の日時が取得されると、設定部１４６は、ファイル名の［３］〜［１６］に撮影の日時を設定する（Ｓ２５４）。撮影の日時が設定されると、設定部１４６は、先に取得したシリーズ番号をファイル名の［１７］〜［１９］に設定する（Ｓ２５８）。
【００６９】
シリーズ番号が設定されると、システム制御部１５２は、記憶部１４８の一時保存領域へファイル名が設定されたファイルを保存する（Ｓ２２０）。ファイルが保存されると、システム制御部１５２は、設定された数のファイルが作成されたか否かを判断する（Ｓ２２２）。まだ設定された数のファイルが作成されていないとすると（Ｓ２２２にてＮＯ）、システム制御部１５２は、間隔が経過したか否かを判断する（Ｓ２２４）。間隔が経過していたとすると、Ｓ２１６〜Ｓ２２４の処理が繰返される。最終的に、設定された数のファイルが作成されると（Ｓ２２２にてＹＥＳ）、システム制御部１５２は、記憶部１４８の一時保存領域から通常の保存領域へＪＰＥＧファイルを移動する（Ｓ２３０）。
【００７０】
ファイルが移動されると、ＬＡＮインターフェイス１４４はテレビ電話機１０６またはパーソナルコンピュータ１０８から指令信号を受信する（Ｓ２６０）。指令信号が受信されると、システム制御部１５２は、指令信号が含む検索の条件がすべての静止画の一覧を要求するものか否かを判断する（Ｓ２６２）。この場合、すべての静止画の一覧を要求するものなので（Ｓ２６２にてＹＥＳ）、システム制御部１５２は、記憶部１４８の保存領域に記憶されたすべてのファイルのファイル名を抽出する（Ｓ２６４）。図１２は、記憶部１４８の保存領域に移動されたすべてのファイルのファイル名を表わす図である。ファイル名が抽出されると、Ｗｅｂサーバ処理部１５０は、Ｗｅｂページデータを作成する（Ｓ２８２）。Ｗｅｂページデータが作成されると、ＬＡＮインターフェイス１４４は作成されたＷｅｂページデータを送信する（Ｓ２８４）。図１３は、Ｗｅｂページデータを受信したテレビ電話機１０６により表示された画像を表わす図である。
【００７１】
［ドアホン別の画像を表示するよう要求があった場合］
パーソナルコンピュータ１０８からドアホン子機１００のドアホン別の静止画の画像を要求する指令信号の送信があったこととする。Ｓ２６０〜Ｓ２６２の処理を経て、システム制御部１５２は、指令信号が含む検索の条件がドアホン別の画像の表示を要求するものか否かを判断する（Ｓ２６６）。この場合、検索の条件はドアホン別の画像の表示が要求されているので（Ｓ２６６にてＹＥＳ）、システム制御部１５２は、ファイル名の［１］の値が「１」のファイルのファイル名を抽出する（Ｓ２６８）。これにより、システム制御部１５２は、ＬＡＮインターフェイス１４４が検索の条件を表わす情報を受信すると、記憶部１４８が記憶したファイル名の中から、検索の条件に合致する情報を検索することとなる。図１４は、記憶部１４８の一時保存領域に保存されたファイル名を表わす図である。ファイル名が抽出されると、Ｓ２８２〜Ｓ２８４の処理を経て、パーソナルコンピュータ１０８がＷｅｂページを表示する。図１５は、パーソナルコンピュータ１０８が表示したＷｅｂページの画像を表わす図である。
【００７２】
このとき、テレビ電話機１０６がドアホン子機１０２のドアホン別の静止画の画像を要求する指令信号を送信したとする。Ｓ２６０〜Ｓ２６２の処理を経て、システム制御部１５２は、指令信号が含む検索の条件がドアホン別の画像を要求するものか否かを判断する（Ｓ２６６）。この場合、検索の条件はドアホン別の画像の表示が要求されているので（Ｓ２６６にてＹＥＳ）、システム制御部１５２は、ファイル名の［１］の値が「２」のファイルファイル名を抽出する（Ｓ２６８）。図１６は、記憶部１４８の一時保存領域に保存されたファイル名を表わす図である。ファイル名が抽出されると、Ｓ２８２〜Ｓ２８４の処理を経て、テレビ電話機１０６はＷｅｂページを表示する。図１７はこのときテレビ電話機１０６が表示したＷｅｂページの画像を表わす図である。
【００７３】
［来客別の画像を表示するよう要求があった場合］
テレビ電話機１０６から来客別の静止画の画像を要求する指令信号の送信があったこととする。Ｓ２６０〜Ｓ２６６の処理を経て、システム制御部１５２は、検索の条件が来客別の画像を要求するものか否かを判断する（Ｓ２７０）。この場合、検索の条件は来客別の画像を要求するものなので（Ｓ２７０にてＹＥＳ）、システム制御部１５２は、シリーズ番号が同じファイルの中で撮影時間が最も古いファイルのファイル名を抽出する（Ｓ２７２）。これにより、システム制御部１５２は、ＪＰＥＧファイルが表わす静止画が所属するグループに基づいて、ファイル名を作成することとなる。図１８は、記憶部１４８の一時保存領域に保存されたファイル名を表わす図である。ファイル名が抽出されると、Ｓ２８２〜Ｓ２８４の処理を経て、テレビ電話機１０６はＷｅｂページを表示する。図１９はこのときテレビ電話機１０６が表示したＷｅｂページの画像を表わす図である。これにより、テレビ電話機１０６の表示部１７２は、通信部１６２が受信した静止画の集合を表わす情報を用いて、画像を表示することとなる。
【００７４】
［留守時の画像を表示するよう要求があった場合］
テレビ電話機１０６から指令信号の送信があったとする。Ｓ２６０〜Ｓ２７０の処理を経て、システム制御部１５２は、検索の条件がユーザの留守時に撮影された映像の静止画ファイルを要求するものか否かを判断する（Ｓ２７４）。この場合、検索の条件はユーザの留守時に撮影された映像の静止画ファイルを要求するものなので（Ｓ２７４にてＹＥＳ）、システム制御部１５２は、記憶部１４８が記憶したＪＰＥＧファイルのファイル名の中から、［２］の値が「２」であるファイル名を抽出する（Ｓ２７６）。図２０は、記憶部１４８の一時保存領域に保存されたファイル名を表わす図である。ファイル名が抽出されると、Ｓ２８２〜Ｓ２８４の処理を経て、テレビ電話機１０６はＷｅｂページを表示する。図２１はこのときテレビ電話機１０６が表示したＷｅｂページの画像を表わす図である。これにより、テレビ電話機１０６の表示部１７２は、通信部１６２が受信した静止画の集合を表わす情報を用いて、画像を表示することとなる。
【００７５】
［在宅時の画像を表示するよう要求があった場合］
Ｓ２１０〜Ｓ２２４の処理の後、ＬＡＮ制御部１４２はテレビ電話機１０６またはパーソナルコンピュータ１０８から応答があったか否かを判断する（Ｓ２２６）。この場合、テレビ電話機１０６から応答があったとすると（Ｓ２２６にてＹＥＳ）、設定部１４６は、記憶部１４８の一時保存領域に記憶されたすべてのファイルにおける、ファイル名の［２］の値を「１」に変更する（Ｓ２２８）。この時点までに、設定部１４６は、テレビドアホンインターフェイスＡ１３０あるいはテレビドアホンインターフェイスＢ１３２のいずれから映像信号を受信したかに基づいて、ファイル名を作成している。この時点で、設定部１４６は、ＬＡＮインターフェイス１４４から音声信号を受信したか否かに基づいて、ファイル名を作成する。これにより、設定部１４６は、テレビドアホンインターフェイスＡ１３０あるいはテレビドアホンインターフェイスＢ１３２とＬＡＮインターフェイス１４４とのいずれから信号を受信したかに基づいて、ファイル名を作成することとなる。ファイル名が変更されると、システム制御部１５２は、ＪＰＥＧファイルを記憶部１４８の一時保存領域から通常の保存領域に移動させる（Ｓ２３０）。
【００７６】
その後、テレビ電話機１０６から在宅時の画像を要求する指令信号の送信があったとする。Ｓ２６０〜Ｓ２７４の処理を経て、システム制御部１５２は、検索の条件が在宅時の画像を要求するものか否かを判断する（Ｓ２７８）。この場合、検索の条件は在宅時の画像を要求するものなので（Ｓ２７８にてＹＥＳ）、システム制御部１５２は、記憶部１４８が記憶したＪＰＥＧファイルのファイル名の中から、［２］の値が「１」であるファイル名を抽出する（Ｓ２８０）。図２２は、記憶部１４８の一時保存領域に保存されたファイル名を表わす図である。ファイル名が抽出されると、Ｓ２８２〜Ｓ２８４の処理を経て、テレビ電話機１０６はＷｅｂページを表示する。図２３はこのときテレビ電話機１０６が表示したＷｅｂページの画像を表わす図である。
【００７７】
以上のようにして、本実施の形態にかかる通信システムは、指令信号が含む検索の条件に応じて、予め記憶されたＪＰＥＧファイルのファイル名を検索する。ファイル名が検索されると、本実施の形態にかかるドアホンアダプタは、ファイル名が検索されたファイルを用いて、検索の条件に合致する画像のＷｅｂページを作成する。Ｗｅｂページが作成されると、本実施の形態にかかる通信システムを構成する通信機（テレビ電話機やパーソナルコンピュータ）は、そのＷｅｂページを表示する。これにより、ユーザが希望する条件の画像が表示されることとなる。テレビ電話機などの画面は、あまり大きくないことが多い。ユーザが希望する条件の画像が表示されることにより、あまり大きくない画面であっても画像を効率よく閲覧できるようになる。その結果、撮影された画像を効率よく閲覧できる中継装置、通信システム、中継プログラム、および中継プログラムを記録したコンピュータ読取り可能な記録媒体を提供することができる。
【００７８】
また、本実施の形態にかかる通信システムは、応答の有無に応じて設定されたファイル名を検索するので、ユーザは留守中の来訪者の画像を効率よく閲覧できる。これにより、空き巣、こそ泥、居直り強盗、および夜盗を含む窃盗犯を特定するための作業が効率化される。その結果、窃盗犯の特定が容易な中継装置、通信システム、中継プログラム、および中継プログラムを記録したコンピュータ読取り可能な記録媒体を提供することができる。
【００７９】
なお、変形例として、システム制御部１５２は、検索の条件が期間を指定するものである場合、検索の条件において指定された期間に撮影された映像のＪＰＥＧファイルのファイル名を抽出してもよい。
【００８０】
また、変形例として、システム制御部１５２は、検索の条件が日付を指定するものである場合、検索の条件において指定された日に撮影された映像のＪＰＥＧファイルのファイル名を抽出してもよい。
【００８１】
また、変形例として、通信システムは、ドアホン子機１００およびドアホン子機１０２に代え、Ｗｅｂカメラとセンサとを含んでもよい。この場合、ドアホンアダプタ１０４から音声信号が送信されないことと、Ｓ２１０にてドアホン子機からの呼出の有無を判断する代わりにセンサが来訪者の有無を判断することを除けば、通信システムが実施する処理は上述の説明と同様である。
【００８２】
また、変形例として、通信システムは、映像と共に音声を収録してもよい。この場合、Ｓ２１６におけるＪＰＥＧファイルの作成と同様にして、音声ファイルを作成してもよい。音声ファイルを作成する場合、音声ファイルのファイル名も拡張子以外はＪＰＥＧファイルと同様の規則に従って決定できる。これにより、録音された音声を効率よく視聴できる中継装置、通信システム、中継プログラム、および中継プログラムを記録したコンピュータ読取り可能な記録媒体を提供することができる。
【００８３】
また、変形例として、本実施の形態にかかるドアホンアダプタ１０４を実現するソフトウェアは、ＣＤ−ＲＯＭ２０６以外の記録媒体に記録されていてもよい。「ＣＤ−ＲＯＭ２０６以外の記録媒体」には、ＰＣカードと、ＦＤ（Flexible Disk）と、フラッシュメモリと、ＤＶＤ（Digital Versatile Disk）とが少なくとも含まれる。この場合、ドアホンアダプタ１０４を実現するコンピュータハードウェアは、ソフトウェアが記録された記録媒体からソフトウェアを読取る装置を備えることとなる。
【００８４】
また、変形例として、本実施の形態にかかる通信システムを構成するドアホン子機は、２台に限定されない。ドアホン子機が１０台以上ある場合、図４に示すファイル名において、ドアホン子機の番号を表わす文字は２文字以上となる。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８６】
【図１】本発明の実施の形態にかかる通信システムの全体構成図である。
【図２】本発明の実施の形態にかかるドアホン子機の制御ブロック図である。
【図３】本発明の実施の形態にかかるドアホンアダプタの制御ブロック図である。
【図４】本発明の実施の形態にかかるＪＰＥＧファイルのファイル名の構造を表わす図である。
【図５】本発明の実施の形態にかかるＪＰＥＧファイルのファイル名の例を表わす図である。
【図６】本発明の実施の形態にかかるテレビ電話機の制御ブロック図である。
【図７】本発明の実施の形態にかかるパーソナルコンピュータの制御ブロック図である。
【図８】本発明の実施の形態にかかる撮影処理の制御の手順を示すフローチャートである。
【図９】本発明の実施の形態にかかるシリーズ番号の取得処理の制御の手順を示すフローチャートである。
【図１０】本発明の実施の形態にかかるファイル名の作成処理の制御の手順を示すフローチャートである。
【図１１】本発明の実施の形態にかかるファイルの抽出処理の制御の手順を示すフローチャートである。
【図１２】本発明の実施の形態にかかる記憶部に記憶されたＪＰＥＧファイルのファイル名を表わす第１の図である。
【図１３】本発明の実施の形態にかかるテレビ電話機に表示されたＷｅｂページの画面を表わす第１の図である。
【図１４】本発明の実施の形態にかかる記憶部に記憶されたＪＰＥＧファイルのファイル名を表わす第２の図である。
【図１５】本発明の実施の形態にかかるパーソナルコンピュータに表示されたＷｅｂページの画面を表わす第２の図である。
【図１６】本発明の実施の形態にかかる記憶部に記憶されたＪＰＥＧファイルのファイル名を表わす第３の図である。
【図１７】本発明の実施の形態にかかるテレビ電話機に表示されたＷｅｂページの画面を表わす図である。
【図１８】本発明の実施の形態にかかる記憶部に記憶されたＪＰＥＧファイルのファイル名を表わす第４の図である。
【図１９】本発明の実施の形態にかかるテレビ電話機に表示されたＷｅｂページの画面を表わす第３の図である。
【図２０】本発明の実施の形態にかかる記憶部に記憶されたＪＰＥＧファイルのファイル名を表わす第５の図である。
【図２１】本発明の実施の形態にかかるテレビ電話機に表示されたＷｅｂページの画面を表わす第４の図である。
【図２２】本発明の実施の形態にかかる記憶部に記憶されたＪＰＥＧファイルのファイル名を表わす第６の図である。
【図２３】本発明の実施の形態にかかるテレビ電話機に表示されたＷｅｂページの画面を表わす第５の図である。
【符号の説明】
【００８７】
１００，１０２  ドアホン子機、１０４  ドアホンアダプタ、１０６  テレビ電話機、１０８  パーソナルコンピュータ、１２０  カメラ部、１２２  スピーカ部、１２４  マイク部、１２６  呼出スイッチ部、１２８  端子、１３０  テレビドアホンインターフェイスＡ、１３２  テレビドアホンインターフェイスＢ、１３４  切換部、１３６  分離部、１３８  データ処理部、１４０  画像処理部、１４２  ＬＡＮ制御部、１４４  ＬＡＮインターフェイス、１４６  設定部、１４８，１６４  記憶部、１５０  Ｗｅｂサーバ処理部、１５２  システム制御部、１５４  ＣＤ−ＲＯＭドライブ、１５８  時計、１６０  制御部、１６２  通信部、１６６  入出力部、１７０  操作部、１７２  表示部、１７４，１９４  マイク、１７６，１９０  スピーカ、１８０  ＣＰＵ、１８２  ディスプレイ、１８４  主記憶装置、１８６  外部記憶装置、１８８  キーボード、１９２  通信デバイス、１９６  バス、２００  ハードディスクドライブ、２０２  ＰＣカードスロット、２０４  ＰＣカード、２０６  ＣＤ−ＲＯＭ。
【図１】
2007104061.tif 000003
【図２】
2007104061.tif 000004
【図３】
2007104061.tif 000005
【図４】
2007104061.tif 000006
【図５】
2007104061.tif 000007
【図６】
2007104061.tif 000008
【図７】
2007104061.tif 000009
【図８】
2007104061.tif 000010
【図９】
2007104061.tif 000011
【図１０】
2007104061.tif 000012
【図１１】
2007104061.tif 000013
【図１２】
2007104061.tif 000014
【図１３】
2007104061.tif 000015
【図１４】
2007104061.tif 000016
【図１５】
2007104061.tif 000017
【図１６】
2007104061.tif 000018
【図１７】
2007104061.tif 000019
【図１８】
2007104061.tif 000020
【図１９】
2007104061.tif 000021
【図２０】
2007104061.tif 000022
【図２１】
2007104061.tif 000023
【図２２】
2007104061.tif 000024
【図２３】
2007104061.tif 000025